(57)【要約】【課題】  フリーペーパー、ちらし、催し物の案内、広告、パンフレット、その他の紙類を収容するラックにおいて、収容する紙類の枚数が少なくなったときでも、紙類の端が折れ曲がることがなく、良好な外観状態を保つことができるラックを提供すること。【解決手段】  左右に対向して立設された一対の側部１ａ，１ｂの上部若しくは正面部の所要の位置に、仕切り用フレーム部４ａ，４ｂの両端を取り付け、さらに、仕切り用フレーム部側４ａ，４ｂに引っ掛けるか若しくは挿通される係合部８１ａを有するアーム部材８１と、このアーム部材８１に取り付けられ、紙類を背面側から支える背板部材８２と、を備えた吊り下げ式背板部８を設けた構成とする。【選択図】  図１
0003126664.tif 000002
【実用新案登録請求の範囲】
【請求項１】
フリーペーパー、ちらし、催し物の案内、広告、パンフレット、その他の紙類を収容するラックであって、
前記ラックは、
左右に対向して立設された一対の側部と、
棒状の部材よりなり、その両端が前記側部の上部若しくは正面部の所要の位置に取り付けられた１又は複数の仕切り用フレーム部と、
を備え、
さらに、前記仕切り用フレーム部に引っ掛けるか若しくは挿通される係合部を有するアーム部材と、このアーム部材に取り付けられ、前記紙類を背面側から支える背板部材と、を備えた吊り下げ式背板部を設けたこと、
を特徴とするラック。
【請求項２】
前記仕切り用フレーム部に代えて、
板部材と、この板部材の上部の所要位置に取り付けられた棒状の軸部材とで構成される仕切り用パネル部を備え、
前記吊り下げ式背板部のアーム部材の係合部は、前記軸部材に引っ掛けるか若しくは挿通されることを特徴とする請求項１記載のラック。
【請求項３】
前記アーム部材は、棒状の部材をコの字状に折り曲げて形成されたものであって、その中央の直線部に、前記背板部材を、前後方向に回動可能に軸支して取り付けたことを特徴とする請求項１又は２記載のラック。
【請求項４】
前記背板部材の上下方向中央部の位置に、前記アーム部材を前後方向に回動可能に軸支して取り付けたことを特徴とする請求項３記載のラック。
【請求項５】
前記背板部材の下端寄りの位置に、前記アーム部材を前後方向に回動可能に軸支して取り付けるとともに、前記背板部材の上部を前方に付勢するための付勢手段を設けたことを特徴とする請求項３記載のラック。
【請求項６】
前記吊り下げ式背板部のアーム部材の係合部は、前記仕切り用フレーム部、または前記仕切り用パネル部の軸部材に対して、着脱自在としたことを特徴とする請求項１乃至５の何れかに記載のラック。
【考案の詳細な説明】
【技術分野】
【０００１】
本考案は、フリーペーパー、ちらし、催し物の案内、広告、パンフレットなどの紙類を収容するラックに関するものであり、特に、紙類の枚数が少なくなったときでも、紙類の端が折れ曲がることがなく、良好な外観状態を保つことができるラックに関する。
【背景技術】
【０００２】
広告収入を元に定期的に制作され、街角で無料で配布される印刷メディアとして、いわゆる「フリーペーパー」が利用されている。フリーペーパーは、配布エリアが行政区画等の単位で固定されてしまう新聞に比べ、柔軟に特定の商圏や購買層への配布が可能で広告効率が良いこと、及び地域に密着した情報を提供できることなどから、近年、利用が拡大していると言われている。
【０００３】
また、駅や商店街、地下街、量販店、コンビニエンスストアなどには、商店のちらし、花火大会などの催し物の案内や、旅行代理店のツアーの広告、自動車教習所のパンフレットなどが置かれている。
【０００４】
従来、上記したフリーペーパー、ちらし、催し物の案内、広告、パンフレットなどの紙類を収納するにあたっては、例えば、図７に示すような構成の金属製のフレーム部材と板部材で構成されたラック１００が利用されていた。
【０００５】
図７のラック１００の構成を詳しく説明すると、先ず、ラック１００の左右方向両端には、金属製のフレーム部材を略台形状に折り曲げて形成された側部１０１ａ，１０１ｂが対向して立設されている。１０２ａ，１０２ｂは、側部１０１ａ，１０１ｂを補強するため、それぞれ水平方向に架設された補強フレームである。
【０００６】
ラック１００の正面には、金属製のパネル１０３が、側部１０１ａ，１０１ｂの正面部分の下側半分の位置にそれぞれ溶接されて取付けられている。パネル１０３の表面には広告文が印刷される場合もある。
【０００７】
側部１０１ａ，１０１ｂの正面部分の上方には、第１仕切り用フレーム部１０４ａが取り付けられている。第１仕切り用フレーム部１０４ａは、棒状の部材であり、その両端が溶接によって側部１０１ａ，１０１ｂに固定されている。また、側部１０１ａ，１０１ｂの上面部分は、正面側よりも背面側に向かうほどラック１００の高さが高くなるように斜めに傾斜を持たせているが、この傾斜部分のほぼ中間の位置には、第２仕切り用フレーム部１０４ｂが取り付けられている。
【０００８】
この第１仕切り用フレーム部１０４ａと第２仕切り用フレーム部１０４ｂの間のスペースがフリーペーパー、ちらし、催し物の案内、広告、パンフレットなどの紙類を収容する第１収容スペースとなる。第１収容スペースの背面側には、金属製のフレームを半トラック状に折り曲げた背面用フレーム１０５ａが、第２仕切り用フレーム部１０４ｂに溶接されて取付けられている。また、背面用フレーム１０５ａとパネル１０３の間には、底板１０６ａが取り付けられており、紙類は、この底板１０６ａの上に載置される。
【０００９】
側部１０１ａ，１０１ｂの背面部分の上方には、第３仕切り用フレーム部１０４ｃが取り付けられている。第２仕切り用フレーム部１０４ｂと第３仕切り用フレーム部１０４ｃの間のスペースは、ちらし、広告などの紙類を収容する第２収容スペースとなる。第２収容スペースの背面側には、金属製のフレームを半トラック状に折り曲げた背面用フレーム１０５ｂが、第３仕切り用フレーム部１０４ｃに溶接されて取付けられている。また、背面用フレーム１０５ｂの下端には、底板１０６ｂが取り付けられ、底板１０６ｂの正面側は、背板用フレーム１０５ａと溶接されて固定されている。なお。１０２ｃは、側部１０１ａ，１０１ｂの間に架設された補強フレームを示している。
【００１０】
１０７ａ、１０７ｂは、第３仕切り用フレーム部１０４ｃと補強フレーム１０２ｃに溶接して取り付けられた吊り下げ部を示している。吊り下げ部１０７ａ、１０７ｂは、先端がＵ字状に曲げられており、このＵ字状の部分を金網や柵などに引っ掛けてラック１００を取り付ける役割を果たすものである。
【考案の開示】
【考案が解決しようとする課題】
【００１１】
上記のような構成の従来のラックは、第１収容スペース及び第２収容スペースにそれぞれ３０〜５０枚程度のフリーペーパーや広告などを収容し、駅や地下街、商店街などの所要の場所に設置される。
【００１２】
ところが、従来のラックは、フリーペーパーや広告などの紙類の残り枚数が少なくなると、例えば、図８（ａ）及び（ｂ）に示すように、例えば第２収容スペースに収容していた紙類Ｐの下方が丸く折れてしまい、外観上、格好が悪くなるという問題があった。フリーペーパーや広告は、見た目の第一印象も重要であるため、紙類Ｐの下方が丸く折れてしまい、外観上、格好が悪くなると、手に取って見てもらえる確率が低下してしまう。
【００１３】
そのため、従来のラックは、図８（ｂ）における背面用フレーム１０５ａ，１０５ｂの傾斜角θを、例えば３０度以上にすることにより、紙類を背面用フレーム１０５ａ，１０５ｂに沿わせるようにして、紙類の残り枚数が少なくなった場合でも、紙類の端が折れ曲がらないようにしていた。
【００１４】
しかしながら、図８（ｂ）における背面用フレーム１０５ａ、１０５ｂの傾斜角θを、例えば３０度以上とする場合は、第１収容スペース及び第２収容スペースの奥行きを長くせざるを得なくなり、結果としてラック１００の奥行きＬが長くなり、ラック１００のコンパクト化が図れないという問題があった。
【００１５】
本考案は、上記した従来の問題点に鑑みてなされたものであり、紙類の枚数が少なくなったときでも、紙類の端が折れ曲がることがなく、良好な外観状態を保つことができるラックを提供することを目的としている。
【課題を解決するための手段】
【００１６】
上記の目的を達成するため、本考案に係るラックは、
フリーペーパー、ちらし、催し物の案内、広告、パンフレット、その他の紙類を収容するラックであって、
前記ラックは、
左右に対向して立設された一対の側部と、
棒状の部材よりなり、その両端が前記側部の上部若しくは正面部の所要の位置に取り付けられた１又は複数の仕切り用フレーム部と、
を備え、
さらに、前記仕切り用フレーム部に引っ掛けるか若しくは挿通される係合部を有するアーム部材と、このアーム部材に取り付けられ、前記紙類を背面側から支える背板部材と、を備えた吊り下げ式背板部を設けたこと、
を最も主要な特徴点とする。
【考案の効果】
【００１７】
本考案によれば、前記吊り下げ式背板部の背板部材が、その重みによって収容した紙類を背面側から前方に押し出し、紙類を背面側から支える力が働くため、紙類の残り枚数が少なくなったときでも、紙類の端が折れ曲がることはなくなり、良好な外観状態を保つことができる。
【考案を実施するための最良の形態】
【００１８】
以下、本考案に係るラックを、図１〜図６に示す実施例等に基づいてさらに詳細に説明する。図１は、本考案のラックの第１実施例の全体構成を説明する図である。
【００１９】
第１実施例のラックＲは、商店のちらし、花火大会などの催し物の案内、旅行代理店のツアーの広告、自動車教習所のパンフレット、その他の紙類を収容するラックであって、ラックＲの左右方向両端には、金属製のフレーム部材を略台形状に折り曲げて形成された一対の側部１ａ，１ｂが対向して立設されている。２ａ，２ｂは、側部１ａ，１ｂを補強するため、それぞれ水平方向に架設された補強フレームを示している。
【００２０】
３は、金属製のパネルであり、その両端部が側部１ａ，１ｂの正面部分の下側半分の位置に溶接され、ラックＲの正面に取付けられている。パネル１０３の表面には広告文などが印刷されている。
【００２１】
側部１ａ，１ｂの正面部分の上方には、第１仕切り用フレーム部４ａが取り付けられている。第１仕切り用フレーム部４ａは、棒状の部材であり、その両端が溶接によって側部１ａ，１ｂに固定されている。
【００２２】
側部１ａ，１ｂの上面部分は、正面側よりも背面側に向かうほどラックＲの高さが高くなるように斜めに傾斜を持たせているが、この傾斜部分のほぼ中間の位置には、第２仕切り用フレーム部４ｂが取り付けられている。
【００２３】
本実施例では、第１仕切り用フレーム部４ａと第２仕切り用フレーム部４ｂの間のスペースが、ちらし、広告などの紙類を収容する第１収容スペースとなる。第１収容スペースの背面側には、金属製のフレームを半トラック状に折り曲げた背面用フレーム５ａが、第２仕切り用フレーム部４ｂに溶接されて取付けられている。また、背面用フレーム５ａとパネル３の間には、底板６ａが取り付けられており、第１収容スペースに収容される紙類は、この底板６ａの上に載置される。
【００２４】
側部１ａ，１ｂの背面部分の上方には、第３仕切り用フレーム部４ｃが溶接により取り付けられている。本実施例では、第２仕切り用フレーム部４ｂと第３仕切り用フレーム部４ｃの間のスペースは、ちらし、広告などの紙類を収容する第２収容スペースとなる。第２収容スペースの背面側には、金属製のフレームを半トラック状に折り曲げた背面用フレーム５ｂが、第３仕切り用フレーム部４ｃに溶接されて取付けられている。また、背面用フレーム５ｂの下端には、底板６ｂが取り付けられ、底板６ｂの正面側は、背板用フレーム５ａと溶接されて固定されている。なお。２ｃは、側部１ａ，１ｂの間に架設された補強フレームを示している。
【００２５】
７ａ、７ｂは、第３仕切り用フレーム部４ｃと補強フレーム２ｃに溶接して取り付けられた吊り下げ部を示している。吊り下げ部７ａ、７ｂは、先端がＵ字状に曲げられて鉤部を形成しており、このＵ字状の鉤部を金網や柵などに引っ掛けてラックＲを取り付ける役割を果たすものである。
【００２６】
次に、図１及び図２を用いて、本考案の特徴的部分である吊り下げ式背板部８の構成について説明する。本実施例では、前述のように、側部１ａ，１ｂの正面部、上部、背面部の所要位置に、たとえば、直径が２乃至８ｍｍの金属製のフレーム部材よりなる３本の仕切り用フレーム部４ａ，４ｂ，４ｃを取り付けているが、この内、吊り下げ式背板部８を引っ掛けて取り付けるのは、正面部と上部に設けられた仕切り用フレーム部４ａ，４ｂである。
【００２７】
今、図１では、仕切り用フレーム部４ｂに吊り下げ式背板部８を引っ掛けて取り付けた状態が示されている。本実施例の吊り下げ式背板部８は、図１に示すように、係合部８１ａを有するアーム部材８１と、第２収容スペースに収容したフリーペーパー、広告などの紙類を背面側から支える背板部材８２とで構成される。
【００２８】
図２は、吊り下げ式背板部８の構成の一例を説明する図であり、（ａ）は正面図、（ｂ）は背面図、（ｃ）は右側面図である。アーム部材８１は、金属製の棒状の部材をコの字状に折り曲げて形成されたものであって、その両端部は、図８（ｃ）に示すようにＵ字状に折り曲げられて、図１に示すように仕切り用フレーム部４ａ，４ｂに引っ掛けて取り付けるための係合部８１ａを形成している。
【００２９】
なお、図２の本実施例では、Ｕ字状の係合部８１ａを用いる例を示しているが、本考案では、環状の係合部を用いて、仕切り用フレーム部４ａ，４ｂが挿通するように構成しても良い。但し、図２に示すようなＵ字状の係合部８１ａを用いて、仕切り用フレーム部４ａ，４ｂから着脱自在とする方が、吊り下げ式背板部８の交換が容易となるので、好適である。
【００３０】
コの字状のアーム部材８１の中央の直線部には、図２（ｂ）に示すように、筒状部８１ｂが挿通されており、筒状部８１ｂは、背板部材８２に溶接されている。このように、本実施例の吊り下げ式背板部８は、コの字状のアーム部材８１の中央の直線部に、背板部材８２を前後方向に回動可能に軸支して取り付けたものである。なお、前後方向とは、図３（ｃ）の矢印Ｆ及び矢印Ｂの方向をいう。
【００３１】
本考案は、仕切り用フレーム部４ａ，４ｂに引っ掛けるか若しくは挿通される係合部８１ａを有するアーム部材８１と、このアーム部材８１に取り付けられ、フリーペーパー、広告などの紙類を背面側から支える背板部材８２とを備えた吊り下げ式背板部８を設けた点に特徴を有するものである。図３（ａ）（ｂ）は、本考案によって得られる効果を説明する図であり、仕切り用フレーム部４ｂに引っ掛けて取り付けられた吊り下げ式背板部８の背板部材８２が、その重みによって収容した紙類Ｐを背面側から前方に押し出している状態を示している。
【００３２】
このように、本考案では、吊り下げ式背板部８の背板部材８２が、その重みによって収容した紙類Ｐを背面側から前方に押し出し、紙類Ｐを背面側から支える力が働くため、図３（ａ）（ｂ）に示すように、紙類の残り枚数が少なくなったときでも、紙類の端が折れ曲がることはなくなり、良好な外観状態を保つことができる。
【００３３】
また、本実施例では、コの字状のアーム部材８１の中央の直線部に、筒状部８１ｂを挿通し、この筒状部８１ｂを背板部材８２の上下方向中央部の位置に固定して、背板部材８２を前後方向に回動可能に軸支して取り付けた構成の吊り下げ式背板部８を用いたため、収容した紙類の枚数が多く、アーム部材８１を側面視した場合における鉛直方向とのなす角度が大きいときでも、紙類の残り枚数が少なくなり、アーム部材８１と鉛直方向のなす角度がほぼ等しいときでも、背板部材８２が前後方向に回動するため、背板部材８２と鉛直方向のなす角度は、図３（ｂ）に示すように、ほぼ平行となり、常に紙類を垂直に保つことができるので、より好適である。
【００３４】
なお、本実施例では、金属製のフレーム部材を略台形状に屈曲させた側部１ａ，１ｂを示したが、側部１ａ，１ｂは、板状の部材で構成しても良い。また、本考案は、棒状の部材で構成された仕切り用フレーム部４ａ，４ｂに代えて、図４（ａ）の正面図及び（ｂ）の側面図に示すように、板部材４１ａと、この板部材４１ａの上部の所要位置（例えば、図４のような切り欠き部）に取り付けられた棒状の軸部材４１ｂとで構成される仕切り用パネル部４１を使用して、第１収容スペースと第２収容スペースの仕切りとしても良い。この場合、吊り下げ式背板部８のアーム部材８１の係合部８１ａは、軸部材４１ｂに引っ掛けるか若しくは挿通されることとなる。
【００３５】
図５は、吊り下げ式背板部の他の一例を説明する図である。図２の実施例では、コの字状のアーム部材８１の中央の直線部に、筒状部８１ｂを挿通し、この筒状部８１ｂを背板部材８２の上下方向中央部の位置に取り付けた構成の吊り下げ式背板部８を示したが、図５の吊り下げ式背板部８０では、図５（ｂ）に示すように、背板部材８４の下端寄りの位置に、筒状部８３ｂを固定し、アーム部材８３を前後方向に回動可能に軸支して取り付けた構成としている。
【００３６】
図５の吊り下げ式背板部８０は、図６（ａ）（ｂ）に示すように、紙類を収容するスペースが比較的浅いラックに適したものであり、背板部材８４として高さの低いものを用いることができる。但し、図５の実施例では、背板部材８４の下端寄りの位置に筒状部８３ｂを固定するため、このままでは、背板部材８４が反転し、裏返ってしまう。そのため、図５の実施例とする場合は、背板部材８４の上部を前方に付勢するための付勢手段として図５（ｂ）に示すような形状の巻きばね８３ｃをアーム部材８３に取り付け、背板部材８４を背面側から前方に付勢している。このようにしたので、背板部材８４の下端寄りの位置に筒状部８３ｂを固定しても、背板部材８４が反転して裏返ることはない。
【００３７】
なお、吊り下げ式背板部８，８０のアーム部材８１，８３の係合部８１ａ，８３ａは、仕切り用フレーム部４ａ，４ｂ、または仕切り用パネル部４１の軸部材４１ｂに対して上方から引っ掛けて取り付ける構成を採用すれば、着脱自在となって交換が容易に行えるという利点があるが、吊り下げ式背板部８，８０は、必ずしも着脱自在とする必要はない。また、本実施例では、吊り下げ式背板部８，８０の背板部材８２，８４は、厚みが一定のものを開示したが、背板部材８２，８４は、例えば、下方に向かうほど厚みが増加するようにしても良いし、所要の位置に突起等を設けた構成でも良い。
【００３８】
以上、説明したように、本考案によれば、吊り下げ式背板部の背板部材が、その重みによって収容した紙類を背面側から前方に押し出して、紙類を背面側から支える力が働くため、紙類の残り枚数が少なくなったときでも、紙類の端が折れ曲がることはなくなり、良好な外観状態を保つことができる。
【００３９】
また、従来のラックは、図８（ｂ）における背面用フレーム１０５ａ，１０５ｂの傾斜角θを例えば３０度以上にすることにより、紙類を背面用フレーム１０５ａ，１０５ｂに沿わせるようにして、紙類の端が折れ曲がらないようにしていたが、本考案に係るラックでは、吊り下げ式背板部の背板部材によって紙類の折れ曲がりを防止するため、背面用フレーム５ａ，５ｂの傾斜角は、例えば０〜１５度とすることが可能となる。従って、本考案に係るラックによれば、ラックＲの奥行きを短くして、コンパクト化を図ることができるという効果も得られる。
【産業上の利用可能性】
【００４０】
本考案は、フレーム部材を屈曲ないし接合して構成されるラックだけでなく、板部材を接合して構成されるラックにも適用できるものである。
【図面の簡単な説明】
【００４１】
【図１】本考案のラックの一例の全体構成を説明する図である。
【図２】図１のラックの吊り下げ式背板部の構成を説明する図であり、（ａ）は正面図、（ｂ）は背面図、（ｃ）は右側面図である。
【図３】図１の実施例において、紙類の残り枚数が少なくなった状態を説明する図である。
【図４】仕切り用フレーム部に代えて、板部材と軸部材とで構成される仕切り用パネル部を用いる場合の説明図であり、（ａ）は正面図、（ｂ）は右側面図である。
【図５】吊り下げ式背板部の他の一例を説明する図であり、（ａ）は正面図、（ｂ）は背面図、（ｃ）は右側面図である。
【図６】図５の実施例において、紙類の残り枚数が少なくなった状態を説明する図である。
【図７】従来のラックの一例を説明する図である。
【図８】従来のラックにおいて、紙類の残り枚数が少なくなった状態を説明する図である。
【符号の説明】
【００４２】
Ｒ  ラック
１ａ，１ｂ  側部
４ａ，４ｂ  仕切り用フレーム部
８１ａ，８３ａ  係合部
８１，８３  アーム部材
８２，８４  背板部材
８，８０  吊り下げ式背板部
４１ａ  板部材
４１ｂ  軸部材
４１  仕切り用パネル部
８３ｃ  付勢手段
Ｐ  紙類
【図１】
0003126664.tif 000003
【図２】
0003126664.tif 000004
【図３】
0003126664.tif 000005
【図４】
0003126664.tif 000006
【図５】
0003126664.tif 000007
【図６】
0003126664.tif 000008
【図７】
0003126664.tif 000009
【図８】
0003126664.tif 000010